(57)【要約】【課題】  天然鉱石などを用いなくともマイナスイオンが発生し、しかもマイナスイオンが発生する製品の安価化が可能なマイナスイオン発生粉体およびマイナスイオン発生成形品を提供する。【解決手段】  本発明のマイナスイオン発生粉体は、炭酸カリウム、硝酸カリウムおよび炭酸カルシウムを必須成分とする無機組成物を用いて得られる。すなわち、当該無機組成物を加熱溶融したのち、急冷し、粉砕することで得られる。【選択図】    なし【特許請求の範囲】
【請求項１】
炭酸カリウム、硝酸カリウムおよび炭酸カルシウムを必須成分とする無機組成物を加熱溶融したのち、冷却し、さらに粉砕してなることを特徴とするマイナスイオン発生粉体。
【請求項２】
前記無機組成物が、当該無機組成物全量に対して、炭酸カリウム２０〜３０重量％、硝酸カリウム１〜５重量％、炭酸カルシウム５〜１０重量％の割合で含有されてなる請求項１記載のマイナスイオン発生粉体。
【請求項３】
粉体粒子の粒径が、１０〜５０μｍの範囲に設定されている請求項１または２記載のマイナスイオン発生粉体。
【請求項４】
請求項１〜３のいずれか一項に記載のマイナスイオン発生粉体を含有してなることを特徴とするマイナスイオン発生成形品。
【請求項５】
炭酸カリウム、硝酸カリウムおよび炭酸カルシウムを必須成分とする無機組成物を加熱溶融したのち、冷却し、成形されてなることを特徴とするマイナスイオン発生成形品。
【請求項６】
前記無機組成物が、当該無機組成物全量に対して、炭酸カリウム２０〜３０重量％、硝酸カリウム１〜５重量％、炭酸カルシウム５〜１０重量％の割合で含有されてなる請求項５記載のマイナスイオン発生成形品。
【発明の詳細な説明】
【技術分野】
【０００１】
本発明は、マイナスイオンが多く発生するマイナスイオン発生粉体およびマイナスイオン発生成形品に関する。
【背景技術】
【０００２】
マイナスイオンとは、一般に、空気中に存在し、分子が多数集合してなる集合体のうち負に帯電したものをいう。かかるマイナスイオンは、血液浄化、精神安定、空気浄化、防臭、抗菌、防汚などの様々な有用な効果を発揮するため、近年、脚光を浴びており、このようなマイナスイオンを発生する各種の製品が提案されている（例えば、特許文献１、２参照）。ところが、これらは、マイナスイオンを発生する比較的高価な天然鉱石（トルマリン等）を用いたり、特殊なマイナスイオン発生装置を用いたりしているため、安価な製品提供が難しかった。
【０００３】
【特許文献１】特開２００３−１１３３１９号公報
【特許文献２】特開平１１−２９０７１６号公報
【発明の開示】
【発明が解決しようとする課題】
【０００４】
本発明はこのような事情に鑑みなされたものであり、天然鉱石などを用いなくともマイナスイオンが発生し、しかもマイナスイオンが発生する製品の安価化が可能なマイナスイオン発生粉体およびマイナスイオン発生成形品の提供をその目的とする。
【課題を解決するための手段】
【０００５】
本発明者は、天然鉱石を含有させたガラス製品の開発を進めるなかで、市販されている特定の材料を組み合わせて用いれば、天然鉱石を含有させなくともマイナスイオンが発生するとの知見を得た。そして、かかる知見に基づき種々実験研究を重ねた結果、本発明を完成させたものである。すなわち、本発明のマイナスイオン発生粉体は、炭酸カリウム、硝酸カリウムおよび炭酸カルシウムを含有する無機組成物を加熱溶融したのち、冷却し、さらに粉砕してなることを特徴としている。
【０００６】
上記の構成によれば、天然鉱石を含有させなくても、多量のマイナスイオンが発生する。このため、従来のマイナスイオンが発生する各種の製品に比べ、安価なものを提供することができる。また、本発明のマイナスイオン発生粉体は、マイナスイオンだけでなく、遠赤外線や波動も発生する。このため、遠赤外線による優れた効果や波動による優れた効果も得ることができる。さらに、マイナスイオン、遠赤外線、波動の発生の相乗効果により、肩こりの解消や安眠効果などの有用な効果も得ることができる。
【０００７】
上記マイナスイオン発生粉体において、前記無機組成物が、当該無機組成物全量に対し、炭酸カリウム２０〜３０重量％、硝酸カリウム１〜５重量％、炭酸カルシウム５〜１０重量％の割合で含有されてなるのが好ましい。この場合、多量のマイナスイオンが確実に発生するとともに、遠赤外線や波動も確実に発生する。
【０００８】
また、上記マイナスイオン発生粉体は、粉体粒子の粒径が、１０〜５０μｍの範囲に設定されているのが好ましい。この場合、当該粉体の表面積が大きいので、より一層、多量のマイナスイオンが発生する。
ここで、粒径１０〜５０μｍの範囲内の粉体粒子とは、粒子が真球状の場合はその直径が平均で１０〜５０μｍの範囲内のものをいうが、粒子が真球状でない場合は最大径と最小径の和の１／２が平均で１０〜５０μｍの範囲内のものをいう。
【０００９】
本発明の第１のマイナスイオン発生成形品は、上記マイナスイオン発生粉体を含有してなることを特徴とする。上記の構成によれば、上記マイナスイオン発生粉体を含有しているので、簡単に、マイナスイオンの優れた効果が得られる製品を提供することができる。しかも、従来の天然鉱石等を用いていた製品に比べ、安価な製品を提供することができる。また、本発明の第１のマイナスイオン発生成形品は、遠赤外線や波動も発生するので、上記マイナスイオン発生粉体と同様、これらの優れた効果も得ることができ、さらにマイナスイオン、遠赤外線および波動の発生の相乗効果により、肩こり解消や安眠効果などの有用な効果も得られる。
【００１０】
本発明の第２のマイナスイオン発生成形品は、炭酸カリウム、硝酸カリウムおよび炭酸カルシウムを必須成分とする無機組成物を加熱溶融したのち、冷却し、成形されてなることを特徴とする。上記のように粉体にすることなく成形品にしても、天然鉱石を含有しないにもかかわらず、マイナスイオンが発生する。このため、従来のマイナスイオンが発生する各種の製品に比べ、安価なものを提供することができる。しかも、本発明の第２のマイナスイオン発生成形品は、上記マイナスイオン発生粉体と同様、マイナスイオンだけでなく、遠赤外線や波動も発生する。このため、上述した、遠赤外線による優れた効果や波動による優れた効果も得ることができ、さらにマイナスイオン、遠赤外線および波動の発生の相乗効果により、肩こり解消や安眠効果などの有用な効果も得られる。
【００１１】
上記第２のマイナスイオン発生成形品において、前記無機組成物が、当該無機組成物全量に対して、炭酸カリウム２０〜３０重量％、硝酸カリウム１〜５重量％、炭酸カルシウム５〜１０重量％の割合で含有されてなるのが好ましい。この場合、マイナスイオンが確実に発生するとともに、遠赤外線や波動も確実に発生する。
【発明の効果】
【００１２】
本発明によれば、天然鉱石などを用いなくてもマイナスイオンが発生するので、マイナスイオンが発生する製品を安価に提供することができる。
【発明を実施するための最良の形態】
【００１３】
〔マイナスイオン発生粉体について〕
まず、本発明のマイナスイオン発生粉体の一実施形態について説明する。本形態に係るマイナスイオン発生粉体は、炭酸カリウム、硝酸カリウムおよび炭酸カルシウムを必須成分とする無機組成物を加熱溶融した後、冷却し、さらに粉砕することで得られるものである。すなわち、本形態に係るマイナスイオン発生粉体は、マイナスイオンを発生する天然鉱石を含有していないもの（天然鉱石非含有のマイナスイオン発生粉体）である。
【００１４】
本形態のマイナスイオン発生粉体の必須成分である炭酸カリウム、硝酸カリウム、炭酸カルシウムとしては、特に制限はなく、市販されている各種のものを用いることができる。そして、炭酸カリウムは、前記無機組成物全量に対して、２０〜３０重量％の割合で配合されているのが好ましい。また、硝酸カリウムは、前記無機組成物全量に対して、１〜５重量％の割合で配合されているのが好ましい。さらに、炭酸カルシウムは、前記無機組成物全量に対して、５〜１０重量％の割合で配合されているのが好ましい。これら必須成分をこのような配合割合で配合すると、多量のマイナスイオンが確実に発生するからである。
【００１５】
前記無機組成物には、上記３成分の他に、本発明の目的を損なわない範囲で、他の材料を添加してもよい。具体的には、硅砂、水酸化アルミニウム、クレオライト、酸化アンチモン、ニューライト、酸化ネオジウム、酸化エルビウム、硼酸などがあげられる。なお、これら材料の配合割合は、適宜に設定される。
【００１６】
上記マイナスイオン発生粉体は、例えばつぎのようにして製造することができる。すなわち、まず、図１に示すように、炭酸カリウムと、硝酸カリウムと、炭酸カルシウムと、その他の成分とを所定の割合で配合して均一に混合することにより、原料としての無機組成物を調製する。ついで、これを溶融ポットに投入し、例えば１５００〜１６００℃で１４〜１６時間の条件で加熱溶融する。この際、無機組成物を均一に溶融させるとともに、泡の発生を抑制するようにする。つづいて、得られた溶融物をくみ上げたのち、例えば常温の水道水で急冷し、数ｃｍ程度の粒状物を得る。その後、できるだけ細かくすべく、公知のミルなどを用いて粉砕する。この粉砕は、必要に応じて複数回行う。そして、所定の目開きの篩によって選別し、粒径５〜５０μｍ、好ましくは１０〜３０μｍの粉体を得る。こうして、マイナスイオン発生粉体を得ることができる。
【００１７】
上記のようにして得られたマイナスイオン発生粉体は、比較的高価な天然鉱石を含有させなくても、マイナスイオンが発生する。このため、安価にマイナスイオン発生粉体を提供することができる。また、上記マイナスイオン発生粉体は、非常に小さい粒子からなり、表面積が大きいために、多量のマイナスイオンが発生するという利点がある。そして、マイナスイオンの発生により、血液浄化、精神安定、空気浄化、防臭、抗菌、防汚などの様々な有用な効果を得ることができる。さらに、上記マイナスイオン発生粉体は、遠赤外線や波動も発生するので、これらによる優れた効果も得ることができる。具体的には、遠赤外線を吸収すると、体内の分子や原子を活発化させることになり、これによって体内の各種の老廃物を排出して新陳代謝を促進させ、細胞再生と疲労回復などを図ることができる。また、波動を吸収すると、細胞レベルで代謝活動が高められ、病気になりにくくなるなどの効果が得られる。しかも、マイナスイオン、遠赤外線、波動の発生の相乗効果により、肩こりの解消や安眠効果といった有用な効果も得ることができる。
【００１８】
ここで、本発明者が行った検証試験について説明する。すなわち、まず、下記の表１に示す各材料を準備し、これらを同表に示す配合割合で配合した無機組成物を準備した。ついで、この無機組成物を溶融ポット内に投入し、１５００℃で１５時間の条件で加熱溶融した。この際、無機組成物を均一に溶融させるとともに、泡の発生を抑制するようにした。つづいて、得られた溶融物をくみ上げたのち、常温（２０℃程度）の水道水で急冷して、数ｃｍ程度の粒状物を得た。その後、得られた粒状物をできるだけ細かくすべく、ミルで粉砕した。そして、篩にかけて選別することにより、平均粒径２０μｍのマイナスイオン発生粉体を得た。
【００１９】
【表１】
2005120219.tif 000002
【００２０】
このようにして得られたマイナスイオン発生粉体について、イオンカウンターＥＢ−１３を用いてマイナスイオンの発生量を測定した結果、マイナスイオンが１ｃｍ３  当たり最高で７９０個、平均で６６０個発生していることを確認した。また、遠赤外線および波動も発生しており、さらに上記マイナスイオン発生粉体には人体に有害な鉛やカドミウムが含まれていなかったことも確認している。このように、上記マイナスイオン発生粉体は、マイナスイオンだけでなく、遠赤外線や波動も発生し、しかも人体に有害な物質が含まれていないことから、人体の健康の保持・増進に有用であることが確認された。
【００２１】
上記マイナスイオン発生粉体は、そのまま適宜の場所に配置して用いることができる。また、各種の成形品の形成材料に添加剤として添加して用いることができる。具体的には、プラスチック製の包装容器の形成材料に添加剤として添加して用いることができる。このように添加剤として用いても、マイナスイオンが発生するため、マイナスイオンが発生する製品を安価に提供することができる。
【００２２】
〔マイナスイオン発生成形品について〕
つぎに、本発明のマイナスイオン発生成形品の一実施形態について説明する。本形態に係るマイナスイオン発生成形品としての花瓶は、例えば、図２に示すように、隆起した網目状の模様が外壁面に付された有底筒状体１に成形されたものであり、炭酸カリウム、硝酸カリウムおよび炭酸カルシウムを含有する無機組成物を加熱溶融した後、冷却し、成形することで得られるものである。すなわち、マイナスイオンを発生する天然鉱石を含有していない花瓶（天然鉱石非含有のマイナスイオン発生成形品としての花瓶）である。
【００２３】
本形態に係る花瓶は、前記と同様にして、炭酸カリウム、硝酸カリウムおよび炭酸カルシウムを特定の割合で含有するとともに、他の成分を含有させた無機組成物を調製したのち、例えば１５００〜１６００℃で１４〜１６時間の条件で加熱溶融し、成形用金型に装填し冷却して製造することができる。こうして得られた花瓶も、天然鉱石を含有していないにもかからず、多量のマイナスイオンが発生する。また、遠赤外線や波動も発生する。このため、上記マイナスイオン発生粉体と同様、マイナスイオン、遠赤外線、波動による優れた効果が得られる。また、花瓶の外壁面からマイナスイオン等が発生するだけでなく、その内壁面からもマイナスイオン等が発生するので、花瓶の中に挿入される花や草木が長持ちするという利点がある。
なお、上記実施形態では、花瓶について説明したが、本発明はこれに限定するものではない。例えば、デキャンター、グラス等の各種の成形品についても同様である。
【産業上の利用可能性】
【００２４】
本発明のマイナスイオン発生粉体は、そのまま適宜の場所に配置することで、人体などに有用な効果を発揮するものとして利用することができる。また、例えば樹脂材料等に添加剤として添加し混合して成形することにより、各種の包装容器、調度品、建築部材等としても利用することもできる。さらに、本発明のマイナスイオン発生成形品は、適宜の形状に形成することにより、各種の包装容器、調度品、建築部材等として利用することができる。
【図面の簡単な説明】
【００２５】
【図１】本発明のマイナスイオン発生粉体の製造方法の一例を示すフロー図である。
【図２】本発明のマイナスイオン発生成形品の一実施形態に係る花瓶を示す斜視図である。
【図１】
2005120219.tif 000003
【図２】
2005120219.tif 000004